(57)【要約】【課題】  背部に上下一対の掛止め突条を有するタイルを建物の外壁面に張設する手段として、タイルの張設作業をより簡単にかつより短時間で行うことができるものを提供する。【解決手段】  表部に上下に間隔をおいて設けたタイル上部掛止めフック条１６と上下一対のタイル止め具掛止めフック条１７、１８を有するタイル張設下地板１５と、表部に上下に間隔をおいて設けたタイル下部制止条片２２とタイル下部掛止めフック条片２３を有するとともに、背部に上下に間隔をおいて設けた上下一対の下地板掛止めフック条片２４、２５を有するタイル止め具２１とからなる。【選択図】      図３
2006283295.tif 000002
【特許請求の範囲】
【請求項１】
表部に上下に間隔をおいて列設した上向きのタイル上部掛止めフック条及び上向きと下向きの上下一対のタイル止め具掛止めフック条を有するタイル張設下地板と、表部の上部と下部に、タイルの下部の掛止め突条の上面部に対接可能なタイル下部制止条片及び下向きの掛止め溝に掛止め可能な上向きのタイル下部掛止めフック条片を有するとともに背部の上部と下部に、タイル張設下地板の上向きと下向きの上下一対のタイル止め具掛止めフック条のそれぞれに掛止め可能な下向きと上向きの上下一対の下地板掛止めフック条片を有するタイル止め具とからなる、建物の外壁面におけるタイルの張設手段。
【発明の詳細な説明】
【技術分野】
【０００１】
この発明は、建物の外壁面に、背（裏）部の上部と下部に間隔をおいて水平にのびる上下一対の下向き（下部開口）の掛止め溝付きの掛止め突（凸）条を有するタイルを張設するための手段の改良に関する。
【背景技術】
【０００２】
この種のタイルの張設手段としては、表部に上下に間隔をおいて列設した上向きのタイル上部掛止めフック条、上下両向きのタイル下部掛止めフック条及び横目地材嵌合溝を有するタイル張設下地板と、背部の上部と下部にタイル張設下地板のタイル上部掛止めフック条に掛止め可能な下向きの掛止め溝とタイル下部掛止めフック条に嵌合可能な上向きの掛止め溝を有する細幅の縦目地材と、タイル張設下地板の横目地材嵌着溝に嵌合可能なピン状の弾性ゴム製の横目地材とからなるものが知られている（例えば、特許文献１参照）。
【０００３】
この公知のタイルの張設手段では、一般に、タイル張設下地板を建物の外壁面に固定した状態で、タイル張設下地板について、そのタイル上部掛止めフック条とタイル下部掛止めフック条に、タイルの掛止め突条の掛止め溝を引掛けることにより、タイルを掛止める作業と、タイル張設下地板に掛止めたタイルの側端縁隣接部において、縦目地材の下向きの掛止め溝と上向きの掛止め溝のそれぞれを、タイル張設下地板のタイル上部掛止めフック条とタイル下部掛止めフック条のそれぞれに対する掛止めと嵌合を介して、縦目地材を掛止める作業と、タイル張設下地板に掛止めたタイル及び縦目地材の上端縁と下端縁の隣接部において、横目地材の先端部をタイル張設下地板の横目地材嵌着溝に嵌合して、横目地材をタイルと縦目地材の上端縁と下端縁に弾性的に圧接する状態で両者を固定する作業を反復することにより、所定数のタイルを張設する。
【０００４】
この公知のタイルの張設手段によれば、タイルの張設を特別の熟練を必要とすることなく行うことができるが、特に横目地材の取付け（嵌着）作業は、タイルと縦目地材を固定するために、その上下の端縁部に圧接する状態で行うとともに、その使用個数も比較的多いことから、全体としてタイル一個当たりのタイル張設下地板に対するタイル張設作業時間も相当長いという状況にある。
【特許文献１】実開平２−７２７３０号公報
【発明の開示】
【発明が解決しようとする課題】
【０００５】
この発明は、上記の公知のタイルの張設手段に認められる横目地材の取付け作業の厄介さとタイル一個当たりのタイル張設作業時間の長さの問題に鑑み、タイルの張設手段として、タイル張設下地板に対するタイルの張設作業を、より簡単にかつより短時間で行うことができるものを提供することを課題としている。
【課題を解決するための手段】
【０００６】
この発明によれば、上記の課題は、特許請求の範囲の請求項１に記載のように、表部に上下に間隔をおいて列設した上向きのタイル上部掛止めフック条及び上向きと下向きの上下一対のタイル止め具掛止めフック条を有するタイル張設下地板と、表部の上部と下部に、タイルの下部の掛止め突条の上面部に対接（対向）可能なタイル下部制止条片及び下向きの掛止め溝に掛止め可能な上向きのタイル下部掛止めフック条片を有するとともに背部の上部と下部に、タイル張設下地板の上向きと下向きの上下一対のタイル止め具掛止めフック条のそれぞれに掛止め可能な下向きと上向きの上下一対の下地板掛止めフック条片を有するタイル止め具とからなる、建物の外壁面におけるタイルの張設手段によって解決する。
【０００７】
この発明に係るタイルの張設手段は、一般には、タイル張設下地板を建物の外壁面に固定した状態において、タイル張設下地板の一対のタイル止め具掛止めフック条の張設すべきタイルの幅方向の中央部対応（対向）部に、タイル止め具を一対の下地板掛止めフック条片を介して掛止めた後、タイルの上部の掛止め突条の下向きの掛止め溝をタイル張設下地板のタイル上部掛止めフック条に引掛けるとともに、タイルの背部の下部の掛止め突条の幅方向の中央部を、タイル止め具の表部のタイル下部制止条片とタイル下部掛止めフック条片の間に押込むことにより、下部の掛止め突条の掛止め溝にタイル下部掛止めフック条片を引掛けるとともに上面部にタイル下部制止条片を対向させて、下部の掛止め突条をタイル止め具で挟持的に固持（堅持）するという作業を反復することによって、所定数のタイルを張設する。
【発明の効果】
【０００８】
特許請求の範囲の請求項１に記載のこの発明に係るタイルの張設手段によれば、上記のように、タイル張設下地板にタイル止め具を掛止める作業と、タイルの上部と下部を、タイル張設下地板の上部の掛止めフック条に対する直接の掛止めと、タイル止め具のタイル下部制止条片とタイル下部掛止め条片の間における挟持的な掛止めを介して、タイルをタイル張設下地板に固定する作業のいずれも簡単な二種類の作業を繰り返すことによって、複数のタイルを各タイル張設下地板に張設することができるので、公知の場合と比較すると、全体としてタイル一個当たりの張設作業時間が大幅に短縮される。
【発明を実施するための最良の形態】
【０００９】
以下図面に基づいて、この発明に係るタイルの張設手段の好適な実施形態について説明する。
【００１０】
図示した形態においては、タイル張設下地板１５は、横長のタイル１０を上下方向に２段の状態で横（水平）方向に複数個列設可能な大きさで、表部に、上下に間隔をおいたタイル上部掛止めフック条１６と上向きと下向きの上下一対のタイル止め具掛止めフック条１７、１８とを上下二段に並設するとともに、上端と下端に相互に凹凸嵌合可能な上向きの連接突条１９と下向きの連接溝２０を設けた押し出し板材からなっている。
【００１１】
他方タイル止め具２１は、横幅がタイル１０の横方向の長さ（横幅）の数分の１の大きさで、表部に上下に間隔をおいて設けた上向きのタイル下部制止条片２２と上向きのタイル下部掛止めフック条片２３を有するとともに、背部に上下に間隔をおいた設けた下向きと上向きの上下一対の下地板掛止めフック条片２４、２５を有する略Ｘ形横断面の押し出しブロック材からなっている。
【００１２】
この図示の形態では、建物の外壁面（図示せず）に固定したタイル張設下地板１５のタイル止め具掛止めフック条１７、１８の張設するタイル１０の幅方向の中央部対向部に、タイル止め具２１を下地板掛止めフック条片２４、２５を介して掛止めた後、タイル１０の上部の掛止め突条１１の下向きの掛止め溝１３を、タイル張設下地板１５のタイル上部掛止めフック条１６に掛止める一方、タイル１０の背部の下部の掛止め突条１２の幅方向の中央部を、タイル止め具２１の表部のタイル下部制止条片２２とタイル下部掛止めフック条片２３の間に、この間を拡張しながら押し込んで、下部の掛止め条１２の掛止め溝１４にタイル下部掛止めフック条片２３を引掛けるとともに上面部にタイル下部制止条片２２を対峙させて、下部の掛止め突条１２をタイル止め具２１に挟持的に掛止める作業を繰り返すことにより、タイル張設下地板１５に複数のタイル１０の張設を行う。
【００１３】
この発明に係るタイルの張設手段は、このほか種々の形態で実施することができるもので、上記の形態に限定されるものではない。
【図面の簡単な説明】
【００１４】
【図１】この発明に係るタイルの張設手段の好適な実施形態を構成するタイル張設下地板の側面図である。
【図２】この発明に係るタイルの張設手段の好適な実施形態を構成するタイル止め具の側面図である。
【図３】図１と図２に示すタイル張設下地板とタイル止め具によるタイルの張設状態を示す部分側面図である。
【図４】図１と図２に示すタイル張設下地板とタイル止め具によるタイルの張設状態を一部切り欠いて示す部分正面図である。
【符号の説明】
【００１５】
１０  タイル
１１  掛止め突条
１２  掛止め溝
１３  掛止め突条
１４  掛止め溝
１５  タイル張設下地板
１６  タイル上部掛止めフック条
１７  タイル止め具掛止めフック条
１８  タイル止め具掛止めフック条
１９  連接突条
２０  連接溝
２１  タイル止め具
２２  タイル下部制止条片
２３  タイル下部掛止めフック条片
２４  下地板掛止めフック条片
２５  下地板掛止めフック条片
【図１】
2006283295.tif 000003
【図２】
2006283295.tif 000004
【図３】
2006283295.tif 000005
【図４】
2006283295.tif 000006